(57)【要約】【課題】密閉型収容器の取り扱い性を高めて密閉型収容器の有効利用を図ることが可能な密閉型収容器、並びに、密閉型収容器の有効利用を図った防災用具、救命用具等を提供する。【解決手段】密閉型収容器１を構成する柔軟な密閉性袋部材２に肩掛け用ベルト５が設けられているので、その密閉型収容器を両肩に背負って持ち運ぶことができる。これにより、長距離運搬性が高まって、その密閉型収容器が液体を収容して重い状態であっても又は気体を収容して嵩張った状態であっても、従来よりも容易に運搬することができる。その結果、高い長距離運搬性が好まれるあらゆる物品に、本密閉型収容器を有効利用することが可能となる。【選択図】図１
0003125779.tif 000002
【実用新案登録請求の範囲】
【請求項１】
口部を備えた柔軟な密閉性袋部材と該口部を密閉する密閉部材とを有する密閉型収容器において、
上記密閉性袋部材に、肩掛け用ベルトを設けたことを特徴とする密閉型収容器。
【請求項２】
口部を備えた柔軟な密閉性袋部材と該口部を密閉する密閉部材とを有する密閉型収容器において、
上記密閉性袋部材における該密閉性袋部材内の収容空間を形成しない部分に、紐を通すための孔を設けたことを特徴とする密閉型収容器。
【請求項３】
口部を備えた柔軟な密閉性袋部材と該口部を密閉する密閉部材とを有する密閉型収容器において、
上記密閉性袋部材における該密閉性袋部材内の収容空間を形成しない部分の互いに異なる箇所に、係合部と該係合部に係合可能な被係合部とを設けたことを特徴とする密閉型収容器。
【請求項４】
請求項１、２又は３の密閉型収容器において、
上記密閉性袋部材は互いに区画された複数の収容空間を有しており、上記口部を該収容空間ごとに個別に設け、かつ、上記密閉部材を該口部ごとに個別に設けたことを特徴とする密閉型収容器。
【請求項５】
内部に気体又は液体を収容可能な密閉型収容器を備えた防災用具であって、
上記密閉型収容器として、請求項１、２、３又は４の密閉型収容器を用いたことを特徴とする防災用具。
【請求項６】
内部に気体又は液体を収容可能な密閉型収容器を備えた救命用具であって、
上記密閉型収容器として、請求項１、２、３又は４の密閉型収容器を用いたことを特徴とする救命用具。
【請求項７】
紐を通すための孔を有する浮き輪本体と、請求項２の密閉型収容器とを有し、該浮き輪本体の孔と該密閉型収容器の孔とを紐で連結したことを特徴とする救命用浮き輪。
【請求項８】
口部を備えた柔軟な密閉性袋部材と該口部を密閉する密閉部材とを有し、
該密閉性袋部材内に、該口部と連通した液体を収容する液体収容部と、気体を収容する浮き袋部とを互いに区画して設けたことを特徴とする浮き袋付き液体収容パック。
【請求項９】
口部を備えた柔軟な密閉性袋部材と該口部を密閉する密閉部材とを有し、
該口部から該密閉性袋部材の収容空間内に液体を充填した状態で該口部を該密閉部材で密閉した後に水槽内の底面に載置し、この上に腰掛けて座布団として使用される水中座布団。
【考案の詳細な説明】
【技術分野】
【０００１】
本考案は、内部に気体又は液体を収容可能な密閉型収容器、並びに、これを備える防災用具、救命用具、救命用浮き輪、液体収容パック及び水中座布団に関するものである。
【背景技術】
【０００２】
従来、このような密閉型収容器としては、例えば液体運搬用に業務用途として広く用いられたバッグインボックスが知られている。バッグインボックスは、スパウトを呼ばれる口部を備えた柔軟な密閉性袋部材内の収容空間に口部から液体を充填した後、その口部をキャップ（密閉部材）で密閉される。そして、ダンボール箱等の箱体に収容された状態で運搬される。
【考案の開示】
【考案が解決しようとする課題】
【０００３】
このような大量の液体を収容する大容量の密閉型収容器は、液体を収容したときの重量が非常に重くなることから、その運搬作業において作業員が手作業で運搬する距離は非常に短く、このような重い密閉型収容器を作業員が長い距離運搬することは想定されていない。大量の気体を収容する大容量の密閉型収容器は、気体収容時でもあまり重くなることはないが、その運搬時に嵩張るので、このような密閉型収容器も作業員が手作業で長い距離運搬することは想定されていない。そして、実際に、従来の密閉型収容器は人間の手作業による長距離運搬性が悪かった。なお、従来の密閉型収容器の中には作業員が片手で把持するための取手が付いたものも存在するが、重い密閉型収容器を片手で持って長距離運搬するのは困難であり、このような密閉型収容器であっても長距離運搬性は悪い。
【０００４】
このように、従来の密閉型収容器は、人間の手作業による長距離運搬性が悪いなど、その取り扱い性が不十分であったことが原因で、密閉型収容器の他分野への有効利用が十分になされていない。例えば、密閉型収容器は、災害等の非常時に飲料水などの液体を運搬するための防災用具や救命用具としても有効利用できると考えられるが、このような有効利用はされていない。これは、防災用具や救命用具には良好な長距離運搬性や良好な操作性など高い取り扱い性が求められるため、取り扱い性が不十分であった従来の密閉型収容器では防災用具や救命用具として利用できないと考えられていたためである。
【０００５】
本考案は、以上の背景に鑑みなされたものであり、その目的とするところは、密閉型収容器の取り扱い性を高めて密閉型収容器の有効利用を図ることが可能な密閉型収容器、並びに、密閉型収容器の有効利用を図った防災用具、救命用具、救命用浮き輪、液体収容パック及び水中座布団を提供することである。
【課題を解決するための手段】
【０００６】
上記目的を達成するために、請求項１の考案は、口部を備えた柔軟な密閉性袋部材と該口部を密閉する密閉部材とを有する密閉型収容器において、上記密閉性袋部材に、肩掛け用ベルトを設けたことを特徴とするものである。
この密閉型収容器においては、肩掛け用ベルトを肩に掛けることにより、片方の肩又は両肩に背負ったり、正面側に抱っこするように持ったりすることができる。これにより、長距離運搬性が高まって、その密閉型収容器が液体を収容して重い状態であっても又は気体を収容して嵩張った状態であっても、従来よりも容易に運搬することができる。その結果、高い長距離運搬性が好まれるあらゆる物品に、本密閉型収容器を有効利用することが可能となる。
【０００７】
また、請求項２の考案は、口部を備えた柔軟な密閉性袋部材と該口部を密閉する密閉部材とを有する密閉型収容器において、上記密閉性袋部材における該密閉性袋部材内の収容空間を形成しない部分に、紐を通すための孔を設けたことを特徴とするものである。
この密閉型収容器は、他の部材に又は他の部材を紐で固定することができる。他の部材としては、同種の密閉型収容器、あるいは、ライフジャケットや救命用浮き輪などの救命用具などが挙げられる。
【０００８】
また、請求項３の考案は、口部を備えた柔軟な密閉性袋部材と該口部を密閉する密閉部材とを有する密閉型収容器において、上記密閉性袋部材における該密閉性袋部材内の収容空間を形成しない部分の互いに異なる箇所に、係合部と該係合部に係合可能な被係合部とを設けたことを特徴とするものである。
この密閉型収容器は、同種の密閉型収容器と連結した状態にすることができる。これにより、密閉型収容器単体では有効利用できないような物品、例えば非常用の大型マットや非常用ベットなどに、有効利用することが可能となる。
【０００９】
また、請求項４の考案は、請求項１、２又は３の密閉型収容器において、上記密閉性袋部材は互いに区画された複数の収容空間を有しており、上記口部を該収容空間ごとに個別に設け、かつ、上記密閉部材を該口部ごとに個別に設けたことを特徴とするものである。
この密閉型収容器は、複数種類の液体又は気体を個別に収容することができる。これにより、単一種類の液体又は気体しか収容できない密閉型収容器では有効利用できないような物品に、有効利用することが可能となる。
【００１０】
また、請求項５の考案は、内部に気体又は液体を収容可能な密閉型収容器を備えた防災用具であって、上記密閉型収容器として、請求項１、２、３又は４の密閉型収容器を用いたことを特徴とするものである。
また、請求項６の考案は、内部に気体又は液体を収容可能な密閉型収容器を備えた救命用具であって、上記密閉型収容器として、請求項１、２、３又は４の密閉型収容器を用いたことを特徴とするものである。
また、請求項７の考案は、紐を通すための孔を有する浮き輪本体と、請求項２の密閉型収容器とを有し、該浮き輪本体の孔と該密閉型収容器の孔とを紐で連結したことを特徴とする救命用浮き輪に係るものである。
また、請求項８の考案は、口部を備えた柔軟な密閉性袋部材と該口部を密閉する密閉部材とを有し、該密閉性袋部材内に、該口部と連通した液体を収容する液体収容部と、気体を収容する浮き袋部とを互いに区画して設けたことを特徴とする浮き袋付き液体収容パックに係るものである。
また、請求項９の考案は、口部を備えた柔軟な密閉性袋部材と該口部を密閉する密閉部材とを有し、該口部から該密閉性袋部材の収容空間内に液体を充填した状態で該口部を該密閉部材で密閉した後に水槽内の底面に載置し、この上に腰掛けて座布団として使用される水中座布団に係るものである。
【考案の効果】
【００１１】
請求項１乃至４の考案によれば、密閉型収容器の取り扱い性を高めて密閉型収容器の有効利用を図ることが可能となるという優れた効果が奏される。
請求項５の考案によれば、密閉型収容器の有効利用を図った防災用具を提供できるという優れた効果が奏される。
請求項６の考案によれば、密閉型収容器の有効利用を図った救命用具を提供できるという優れた効果が奏される。
請求項７の考案によれば、密閉型収容器の有効利用を図った救命用浮き輪を提供できるという優れた効果が奏される。
請求項８の考案によれば、密閉型収容器の有効利用を図った浮き袋付き液体パックを提供できるという優れた効果が奏される。
請求項９の考案によれば、密閉型収容器の有効利用を図った水中座布団を提供できるという優れた効果が奏される。
【考案を実施するための最良の形態】
【００１２】
〔実施形態１〕
以下、本考案を、防災用具としての防災用携帯給水タンク（以下、「防災用タンク」と省略する。）に適用した一実施形態（以下、本実施形態を「実施形態１」という。）について説明する。
図１は本実施形態１に係る防災用タンクの正面図であり、図２はその防災用タンクの背面図であり、図３（ａ）及び（ｂ）はその防災用タンクの側面図である。
この防災用タンク１は、内部に収容空間を有する柔軟な密閉性袋部材２と、この密閉性袋部材２に固定された口部であるプラスチック製のスパウト３と、スパウト３を密閉する密閉部材としてのキャップ４ａとを備えている。密閉性袋部材２は、６枚のフィルムを重ねた状態でその周縁を熱圧着又はホットメルトにより接合して袋状にした３重フィルム構造の袋部材であり、何も収容していないときには略長方形状の平坦な状態をとる。この密閉性袋部材２の背面には、図中下部にスパウト３を取り付けるための孔が設けられていて、この孔にスパウト３が固定される。このスパウト３から密閉性袋部材２内の収容空間内に液体や気体を充填していくと、密閉性袋部材２の正面は平坦を維持しつつ背面側が膨らみ、図３（ａ）及び（ｂ）に示すような状態になる。
【００１３】
密閉性袋部材２の基材としては、例えば、ポリエチレンテレフタレートフィルム（ＰＥＴ）やエチレン／酢酸ビニール共重合体フィルム（ＥＶＡ）などを使用できる。なお、密閉性袋部材２は、収容する液体や気体の密閉性を確保できるもので柔軟性があるものであれば、どのような材料でどのような構造のものでもよい。したがって、本実施形態１では密閉性袋部材２が３重フィルム構造であるが、１重あるいは２重のフィルム構造でも、４重以上のフィルム構造でもよい。ただし、少なくとも収容空間の内壁を形成するフィルムについては、収容物の状態を長期にわたって変化させない材料であるのが好ましい。
【００１４】
本実施形態１では、密閉性袋部材２の正面にその上部と下部で固定された２つの肩掛け用ベルト５が設けられている。肩掛け用ベルト５は、密閉性袋部材２と同様の材料で形成されており、熱圧着やホットメルトなどにより密閉性袋部材２に接合されている。
本実施形態１の防災用タンク１は、肩掛け用ベルト５を両肩に掛けることで両肩に背負うタイプのものであるが、密閉性袋部材２の正面にその上部と下部で固定された１つの肩掛け用ベルト５が設け、片方の肩に掛けて背負うタイプとしてもよい。また、図４に示すように、１つの肩掛け用ベルト５を密閉性袋部材２の正面に斜めに固定するようにしてもよい。この場合、ユーザーは、この肩掛け用ベルト５を肩に斜めがけして、背中に背負うか、お腹又は胸で抱っこするかして持つことができる。あるいは、図４に示すような抱っこタイプ用の肩掛け用ベルト５を、図１に示すような両肩に背負うタイプの密閉性袋部材２の背面に設け、抱っこタイプ及び背負うタイプの併用タイプとしてもよい。
【００１５】
本実施形態１の防災用タンク１には、収容空間を形成しない密閉性袋部材２の部分すなわち密閉性袋部材２の外周に設けられた図中斜線で示す接合部分２ａの図中上下左右の箇所に、それぞれ１つずつ孔８が設けられている。これらの孔８の寸法は、人間の手を通せる程度の寸法でよい。このような孔を設けることで、この孔８を手で把持することで本防災用タンク１を手で持ったり、この孔に紐を通して本防災用タンク１を他の部材と連結したり、他の部材の突起部にこの孔を通して本防災用タンク１をぶら下げたりといった様々な使用方法が可能となり、防災用タンク１の用途を広げることができる。例えば、図３（ｂ）に示すように、防災用タンク１の上部の孔８を、壁面（他の部材）２００に固定されたフック（突起部）２０１に掛けるといった使用方法が挙げられる。
【００１６】
ここで、本実施形態１の防災用タンク１には、背面上部にポケット１０が設けられており、そのポケット１０には、キャップ４ａに代えてスパウトに取り付けられる蛇口４ｂが収容可能になっている。このような蛇口４ｂを本防災用タンク１に付属させることで、収容空間内の水などの液体を蛇口４ｂから出したり止めたりすることができる。このとき、図３（ｂ）に示すように壁面２００のフック２０１に防災用タンク１を掛けた状態であれば、蛇口４ｂから出る水などの液体を用いる際の利便性が高まる。
【００１７】
また、本実施形態１においては、密閉性袋部材２の背面に、蛍光塗料を付着させ又は蛍光シールを接着させた目印部６が設けられている。本実施形態１においては、ユーザーが防災用タンク１を背負ったときに目印部６はユーザーの背後に位置するので、夜間などの視界が悪い状態でもユーザーの背後から接近する自動車などに自分の存在を認知させやすくなり、事故防止に役立つ。
なお、目印部６に代えて、図５に示すように、文字や図柄などの情報を含む情報部７を設ければ、これを見た人にその情報部７の情報を伝えることができる。その結果、例えば、情報部７に企業名などの情報を入れることでその企業のイメージアップにつながり、当該企業に本防災用タンク１を積極的に利用してもらいやすくなる。具体例としては、情報部７にホテル名を入れてホテルの備品として有効利用することが挙げられる。
【００１８】
また、本実施形態１の防災用タンク１は、水等の液体を運搬するためのタンク以外にも、いろいろな用途に有効活用できる。
図６は、上記防災用タンク１を複数列に並べて互いを連結して防災用簡易ベッドあるいは防災用簡易マットとして使用する使用状態を示す正面図である。
本実施形態１において、密閉性袋部材２の正面には、収容空間を形成しない密閉性袋部材２の部分すなわち密閉性袋部材２の外周に設けられた図中斜線で示す接合部分２ａの図中上部及び左部の箇所に、それぞれ２つずつ、係合部又は被係合部として機能するボタン９が設けられている。また、密閉性袋部材２の裏面には、接合部分２ａの図中下部及び右部の箇所に、それぞれ２つずつ、被係合部又は係合部として機能するボタン９が設けられている。よって、本実施形態１の防災用タンク１には合計８個のボタン９が設けられている。これらのボタン９はすべて同じ構造のもので、図７に示すように互いに係合できる構造になっている。
この防災用タンク１を防災用簡易ベッドあるいは防災用簡易マットとして利用する場合、まず、各防災用タンク１に水などの液体又は空気などの気体を充填した状態でキャップ４ａをスパウト３に取り付けて密封する。その後、スパウト３が設けられた面が下面となるように複数列並べ、各防災用タンク１のボタン９を互いに係合させることにより各防災用タンク１を連結する。
【００１９】
なお、防災用タンク１を何個連結させるか又はどのように連結させるかは、互いに連結した防災用タンク１をどのような用途に使用するかによって適宜決定される。例えば、上述した防災用簡易ベッドよりも多くの列数で上記防災用タンク１を互いを連結し、その列の左側部に位置するボタンを右側部に位置するボタンと連結し、人間が入れる程度の内径をもつ略円筒状の状態にする。これにより、防災用タンク１を簡易寝袋として利用することもできる。
また、本実施形態１では、防災用タンク１を互いに連結する手段がボタン９であるが、孔８に紐を通して互いを連結するようにしてもよい。この場合、ボタン９を設ける必要がなくなる。
【００２０】
〔変形例〕
図８は、上述した実施形態１の変形例に係る防災用タンク１１を示す斜視図である。
本変形例に係る防災用タンク１１の密閉性袋部材は、収容空間の正面側壁部及び背面側壁部を構成する互いに対向した２つの平面部１２Ａ，１２Ｂと、収容空間の上下左右の壁部を構成する連結部１２Ｃとから構成されており、平面部１２Ａ，１２Ｂ及び連結部１２Ｃは互いに熱圧着等により接合されている。収容空間内に何も収容していないときには、連結部１２Ｃは折れ線１３に沿って折れて畳まれた状態をとり、防災用タンク１１は略長方形状の平坦な状態となる。防災用タンク１１の背面となる平面部１２Ｂには、上記実施形態１と同様にスパウト（不図示）が設けられている。このスパウトから収容空間内に液体や気体を充填していくと、防災用タンク１１の正面及び背面をそれぞれ構成する各平面部１２Ａ，１２Ｂは平坦を維持しつつ、畳まれた状態の連結部１２Ｃが徐々に広がっていき、図８に示すような状態になる。
【００２１】
本変形例において、防災用タンク１１の正面を構成する平面部１２Ａには、上記実施形態１と同様に、その上部と下部で固定された２つの肩掛け用ベルト１５が設けられている。ただし、本変形例における肩掛け用ベルト１５は、その長さを２段階で調整可能な構成になっている。具体的には、肩掛け用ベルト１５は、１つの留め具１５ａと２つの留め具用孔１５ｂが設けれていて、図中左側に示すの肩掛け用ベルト１５の状態から１つの留め具１５ａを２つの留め具用孔１５ｂに通して固定することで、図中右側の肩掛け用ベルト１５の状態にすることができる。なお、このような長さ調整の構成は、長さを調整することが有用なベルト状部材に対して広く採用でき、例えば上記実施形態１の防災用タンク１にも採用できる。
【００２２】
また、本変形例において、防災用タンク１１の正面となる平面部１２Ａには、収容空間を形成しない図中斜線で示す接合部分１２ａの背面側における図中上下左右の箇所に、それぞれ１つずつ、係合部又は被係合部として機能するボタン１９が設けられている。また、防災用タンク１１の背面となる平面部１２Ｂには、接合部分１２ｂの正面側における図中上下左右の箇所に、それぞれ１つずつ、係合部又は被係合部として機能するボタン１９が設けられている。これらのボタン１９を有することで、上記実施形態１の防災用タンク１と同様の用途に利用することが可能となる。
なお、本変形例の防災用タンク１１には、上記実施形態１の防災用タンク１には設けられていた孔８が設けられていないが、設けても良い。
また、そのほか、上記実施形態１で説明した変形点（抱っこタイプにする等）や利用用途については、本変形例の防災用タンク１１でも同様であるので、説明を省略する。
【００２３】
〔実施形態２〕
次に、本考案を、救命用具としての救命用浮き輪に適用した一実施形態（以下、本実施形態を「実施形態２」という。）について説明する。
図９は本実施形態２に係る救命用浮き輪の斜視図であり、図１０はその救命用浮き輪に装着される密閉型収容器である浮き輪付き液体収容パックを示す正面図である。
本実施形態２に係る救命用浮き輪３０は、浮き輪本体３７の外周部に複数の紐通し孔３７ａが設けられており、各紐通し孔３７ａに紐３６が通されている。この紐３６には、液体収容パック３１が装着される。
【００２４】
液体収容パック３１は、その密閉性袋部材３２に、互いに区画された３つの収容空間Ａ，Ｂ，Ｃが設けられており、図示しないスパウトやキャップ３４ａ，３４ｂ，３４ｃは収容空間Ａ，Ｂ，Ｃごとにそれぞれ設けられている。また、この液体収容パック３１は、収容空間を形成しない密閉性袋部材３２の部分、具体的には図中斜線で示す接合部分３２ａにおける図中上部及び下部に位置する箇所に、それぞれ２つの孔３５が設けられている。また、液体収容パック３１の接合部分３２ａにおける図中両側部の上下部分には、それぞれ同一面側に１つずつボタン３９が設けられている。
【００２５】
この液体収容パック３１は、各側部の上部分のボタン３９と上部分のボタン３９とを互いに係合させて２つ折りの状態にすると、上部と下部にそれぞれ２つずつ設けられた孔３５が互いに重なりあった状態になる。この状態になった孔３５に浮き輪本体３７の紐３６を通すことで、図９に示すように、浮き輪本体３７に液体収容パック３１が装着される。
【００２６】
液体収容パック３１の各収容空間Ａ，Ｂには、それぞれ飲料水、液体栄養剤、液体薬などの液体が収容される。よって、本実施形態２によれば、救命用浮き輪が必要となる非常時に、浮き輪とともに、飲料水、液体栄養剤、液体薬などの液体も一緒に、被災者等へ与えることができる。
しかも、本実施形態２では、１つの液体収容パック３１に２種類の液体を収容できるので、一度に２種類の液体又は気体を被災者等へ与えることができる。なお、液体収容パック３１に設ける収容空間を増やせば、より多くの液体を被災者等へ与えることができる。
【００２７】
また、本実施形態２においては、最も大きい収容空間Ｃには空気が収容される。これにより、収容空間Ａ，Ｂに液体が収容されていても収容空間Ｃの空気により液体収容パック３１単体で浮力を確保できる。その結果、液体収容パック３１を既存の救命用浮き輪に装着したときに、液体収容パック３１に収容される液体の重さで救命用浮き輪の浮力が低下してしまう事態が抑制され、既存の救命用浮き輪の機能を妨げることはない。また、液体収容パック３１単体で浮力を確保できることから、液体収容パック３１が浮き輪本体３７から外れた状態で水難救助場所の海や川や湖などに放り出されたとしても、液体収容パック３１は海等に浮いた状態で漂うことになる。よって、海等に放り出された被災者が液体収容パック３１を拾って利用できるという効果も得られる。
【００２８】
なお、本実施形態２においては、液体収容パック３１を浮き輪本体３７に装着した救命用浮き輪を例に挙げて説明したが、液体収容パック３１をライフジャケットのポケットに収容し、液体収容パック３１を備えた救命用具としてのライフジャケットとして利用することもできる。この場合、既存のライフジャケットに液体収容パック３１を入れるためのポケットを設けるようにし、そのポケットに液体収容パック３１を入れる。このときの液体収容パック３１の大きさは、救命用浮き輪３０の液体収容パック３１よりも小型にするのが好ましい。
【００２９】
〔実施形態３〕
次に、本考案を、救命用具としての簡易ライフジャケットに適用した一実施形態（以下、本実施形態を「実施形態３」という。）について説明する。
図１１は本実施形態３に係る簡易ライフジャケットの正面図であり、図１２はその簡易ライフジャケットの側面図である。
本実施形態３に係る簡易ライフジャケット４１は、３つの収容空間Ａ，Ｂ，Ｃを備える正面部と、１つの収容空間Ｄを備える背面部とから構成された密閉型収容器を利用したものである。この簡易ライフジャケット４１の正面部と背面部とは２つの連結部４２ａにより連結されており、これらの連結部４２ａの間にユーザーが首を通す開口部４２ｂが形成されている。また、簡易ライフジャケット４１の背面部の下部には、腰巻きベルト４５が取り付けられており、その腰巻きベルト４５の両端は互いを固定できるようになっている。簡易ライフジャケット４１の正面部に設けられた最も大きい収容空間Ｃと簡易ライフジャケット４１の背面部に設けられた収容空間Ｄには、空気が入れられる。これらの収容空間Ｃ，Ｄに空気を入れることで浮力を確保する。なお、未使用状態では、これらの収容空間には空気を入れずに潰しておく。また、簡易ライフジャケット４１の正面部に設けられた残りの収容空間Ａ，Ｂにはそれぞれ液体が入れられる。この液体としては、上述した実施形態２の救命用浮き輪の液体収容パック３１に収容した液体と同様のものを入れる。
【００３０】
この簡易ライフジャケット４１をユーザーが使用する場合、ユーザーは、まず、簡易ライフジャケット４１の正面部に設けられた最も大きい収容空間Ｃと簡易ライフジャケット４１の背面部に設けられた収容空間Ｄに空気を入れる。そして、開口部４２ｂに首を通し、腰巻きベルト４５を自分の腰に巻き付けることで使用可能な状態になる。そして、本実施形態３では、収容空間Ａ，Ｂに連通する各スパウトにそれぞれストロー付きキャップ４４が装着される。これにより、簡易ライフジャケット４１を着たユーザーは、各収容空間Ａ，Ｂ内に収容された飲料水などの液体をストロー付きキャップ４４のストローで吸って飲むことができる。
また、本実施形態３では、ライフジャケットが必要となる非常時に、ライフジャケットとともに、飲料水、液体栄養剤、液体薬などの液体も一緒に、被災者等へ与えることができる。しかも、本実施形態３では、１つの簡易ライフジャケット４１に２種類の液体又は気体を収容できるので、一度に２種類の液体又は気体を被災者等へ与えることができる。なお、簡易ライフジャケット４１に設ける収容空間を増やせば、より多くの液体又は気体を被災者等へ与えることができる。
【００３１】
〔実施形態４〕
次に、本考案を、水中座布団に適用した一実施形態（以下、本実施形態を「実施形態４」という。）について説明する。
図１３は、本実施形態４に係る水中座布団の正面図である。
本実施形態４に係る水中座布団５１は、上述した実施形態１における防災用タンク１と基本構成を同じにする密閉型収容器を利用したものである。ただし、本実施形態４の水中座布団５１は、肩掛け用ベルトを備えていない点で、上記実施形態１の防災用タンク１とは構成を異にする。なお、水中座布団５１に液体などを充填したときの運搬性を高めるために、上記実施形態１の場合と同様に肩掛け用ベルトを設けてもよい。
【００３２】
この密閉型収容器を水中座布団５１として使用する場合、ます、キャップ５４を外してスパウトから収容空間へ水やお湯などの液体を入れて充填し、キャップ５４で密封する。そして、キャップ５４が水槽である浴槽１００の底面側を向くようにして密閉型収容器を浴槽１００の底面に載置する。その後、ユーザーは、この密閉型収容器上に腰掛けることにより、この密閉型収容器を水中座布団５１として利用できる。
【図面の簡単な説明】
【００３３】
【図１】実施形態１に係る防災用タンクの正面図。
【図２】同防災用タンクの背面図。
【図３】同防災用タンクの側面図。
【図４】防災用タンクの他の例を示す正面図。
【図５】防災用タンクの更に他の例を示す正面図。
【図６】同防災用タンクを複数列に並べて互いを連結して防災用簡易ベッドあるいは防災用簡易マットとして使用する使用状態を示す正面図。
【図７】同防災用タンクのボタンの係合箇所を示す拡大図。
【図８】変形例に係る防災用タンクを示す斜視図。
【図９】実施形態２に係る救命用浮き輪の斜視図。
【図１０】同救命用浮き輪に装着される液体収容パックを示す正面図。
【図１１】実施形態３に係る簡易ライフジャケットの正面図。
【図１２】同簡易ライフジャケットの側面図。
【図１３】実施形態４に係る水中座布団の正面図。
【符号の説明】
【００３４】
１，１１  防災用タンク
２，３２  密閉性袋部材
３  スパウト（口部）
４ａ，３４ａ，３４ｂ，３４ｃ，４４，５４  キャップ（密閉部材）
４ｂ  蛇口
５  肩掛け用ベルト
６  目印部
７  情報部
８，３５  孔
９，１９，３９  ボタン（係合部，被係合部）
１０  ポケット
３０  救命用浮き輪
３１  液体収容パック
３６  紐
４１  簡易ライフジャケット
５１  水中座布団
【図１】
0003125779.tif 000003
【図２】
0003125779.tif 000004
【図３】
0003125779.tif 000005
【図４】
0003125779.tif 000006
【図５】
0003125779.tif 000007
【図６】
0003125779.tif 000008
【図７】
0003125779.tif 000009
【図８】
0003125779.tif 000010
【図９】
0003125779.tif 000011
【図１０】
0003125779.tif 000012
【図１１】
0003125779.tif 000013
【図１２】
0003125779.tif 000014
【図１３】
0003125779.tif 000015
【手続補正書】
【提出日】平成18年7月31日(2006.7.31)
【手続補正１】
【補正対象書類名】実用新案登録請求の範囲
【補正対象項目名】全文
【補正方法】変更
【補正の内容】
【実用新案登録請求の範囲】
【請求項１】
口部を備えた柔軟な密閉性袋部材と該口部を密閉する密閉部材とを有する密閉型収容器において、
上記密閉性袋部材における該密閉性袋部材内の収容空間を形成しない部分の互いに異なる箇所に、係合部と該係合部に係合可能な被係合部とを設けたことを特徴とする密閉型収容器。
【請求項２】
請求項１の密閉型収容器において、
上記密閉性袋部材は互いに区画された複数の収容空間を有しており、上記口部を該収容空間ごとに個別に設け、かつ、上記密閉部材を該口部ごとに個別に設けたことを特徴とする密閉型収容器。
【請求項３】
内部に気体又は液体を収容可能な密閉型収容器を備えた防災用具であって、
上記密閉型収容器として、請求項１又は２の密閉型収容器を用いたことを特徴とする防災用具。
【請求項４】
内部に気体又は液体を収容可能な密閉型収容器を備えた救命用具であって、
上記密閉型収容器として、請求項１又は２の密閉型収容器を用いたことを特徴とする救命用具。
【手続補正３】
【補正対象書類名】明細書
【補正対象項目名】０００１
【補正方法】変更
【補正の内容】
【０００１】
本考案は、内部に気体又は液体を収容可能な密閉型収容器、並びに、これを備える防災用具及び救命用具に関するものである。
【手続補正４】
【補正対象書類名】明細書
【補正対象項目名】０００５
【補正方法】変更
【補正の内容】
【０００５】
本考案は、以上の背景に鑑みなされたものであり、その目的とするところは、密閉型収容器の取り扱い性を高めて密閉型収容器の有効利用を図ることが可能な密閉型収容器、並びに、密閉型収容器の有効利用を図った防災用具及び救命用具を提供することである。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
上記目的を達成するために、請求項１の考案は、口部を備えた柔軟な密閉性袋部材と該口部を密閉する密閉部材とを有する密閉型収容器において、上記密閉性袋部材における該密閉性袋部材内の収容空間を形成しない部分の互いに異なる箇所に、係合部と該係合部に係合可能な被係合部とを設けたことを特徴とするものである。
この密閉型収容器は、同種の密閉型収容器と連結した状態にすることができる。これにより、密閉型収容器単体では有効利用できないような物品、例えば非常用の大型マットや非常用ベットなどに、有効利用することが可能となる。
【手続補正８】
【補正対象書類名】明細書
【補正対象項目名】０００９
【補正方法】変更
【補正の内容】
【０００９】
また、請求項２の考案は、請求項１の密閉型収容器において、上記密閉性袋部材は互いに区画された複数の収容空間を有しており、上記口部を該収容空間ごとに個別に設け、かつ、上記密閉部材を該口部ごとに個別に設けたことを特徴とするものである。
この密閉型収容器は、複数種類の液体又は気体を個別に収容することができる。これにより、単一種類の液体又は気体しか収容できない密閉型収容器では有効利用できないような物品に、有効利用することが可能となる。
【手続補正９】
【補正対象書類名】明細書
【補正対象項目名】００１０
【補正方法】変更
【補正の内容】
【００１０】
また、請求項３の考案は、内部に気体又は液体を収容可能な密閉型収容器を備えた防災用具であって、上記密閉型収容器として、請求項１又は２の密閉型収容器を用いたことを特徴とするものである。
また、請求項４の考案は、内部に気体又は液体を収容可能な密閉型収容器を備えた救命用具であって、上記密閉型収容器として、請求項１又は２の密閉型収容器を用いたことを特徴とするものである。
【手続補正１０】
【補正対象書類名】明細書
【補正対象項目名】００１１
【補正方法】変更
【補正の内容】
【００１１】
請求項１及び２の考案によれば、密閉型収容器の取り扱い性を高めて密閉型収容器の有効利用を図ることが可能となるという優れた効果が奏される。
請求項３の考案によれば、密閉型収容器の有効利用を図った防災用具を提供できるという優れた効果が奏される。
請求項４の考案によれば、密閉型収容器の有効利用を図った救命用具を提供できるという優れた効果が奏される。